(57)【特許請求の範囲】
【請求項１】
枚葉紙を加工する機械の個別化機構のための持ち上げ・前進用吸い口伝動装置において、
少なくとも１つの持ち上げ用吸い口が設けられており、
少なくとも１つの前進用吸い口が設けられており、
前記少なくとも１つの持ち上げ用吸い口の運動のための駆動可能な第１の制御カムが設けられており、前記持ち上げ用吸い口の運動のための旋回可能な第１の揺動体が設けられており、前記第１の揺動体は、一端で第１の制御ローラを介して前記第１の制御カムと協働し、他端で前記持ち上げ用吸い口を支持している持ち上げ用吸い口支持体に枢着結合されており、該持ち上げ用吸い口支持体は、第２の制御ローラを有しており、
前記少なくとも１つの前進用吸い口の運動のための駆動可能な第２の制御カムが設けられており、前記前進用吸い口の運動のための旋回可能な第２の揺動体が設けられており、該第２の揺動体は、一端で第３の制御ローラを介して前記第２の制御カムと協働し、他端で前記前進用吸い口を支持している前進用吸い口支持体に枢着結合されており、該前進用吸い口支持体は、第４の制御ローラを有しており、
前記第１および第２の制御カムは、１つの共通の軸に支承されており、
前記第２および第４の制御ローラは、前記第１および第２の制御カムとは異なる、旋回可能に配置された共通の別の制御カムと転動可能に接触しており、
該別の制御カムが、前記持ち上げ用吸い口から前記前進用吸い口への枚葉紙引き渡しが共通の高さレベルで行われるように、前記第１の制御カムによる前記持ち上げ用吸い口の持ち上げ運動と、前記第２の制御カムによる前記前進用吸い口の前進運動とを制御するようになっており、
前記持ち上げ用吸い口から前記前進用吸い口への枚葉紙の引き渡しポジションと、枚葉紙の搬送高さとが、前記旋回可能な別の制御カムによって調節可能であることを特徴とする、枚葉紙を加工する機械の個別化機構のための持ち上げ・前進用吸い口伝動装置。
【請求項２】
前記持ち上げ用吸い口が、持ち上げ用吸い口の運動のための駆動可能な前記第１の制御カムによって制御可能に支承されていて、前記前進用吸い口が、前進用吸い口の運動のための駆動可能な前記第２の制御カムによって制御可能に支承されている、請求項１記載の持ち上げ・前進用吸い口伝動装置。
【請求項３】
前記持ち上げ用吸い口と前記前進用吸い口とが、枚葉紙が持ち上げられた状態で、枚葉紙パイルに対して所定の角度を成している、請求項１記載の持ち上げ・前進用吸い口伝動装置。
【請求項４】
前記持ち上げ用吸い口の運動のための前記第１の制御カムに前記第１の制御ローラを当接させること、および、前記旋回可能な制御カムに前記第２の制御ローラを当接させることを確実に行うための圧縮ばねが設けられており、前記前進用吸い口の運動のための駆動可能な前記第２の制御カムに前記第３の制御ローラを当接させること、および、前記旋回可能な制御カムに前記第４の制御ローラを当接させることを確実に行うための圧縮ばねが設けられている、請求項１記載の持ち上げ・前進用吸い口伝動装置。
【請求項５】
前記旋回可能な別の制御カムが、セグメントカムとして形成されている、請求項１記載の持ち上げ・前進用吸い口伝動装置。
【発明の詳細な説明】
【０００１】
【発明の属する技術分野】
本発明は、枚葉紙を加工する機械の個別化機構のための持ち上げ・前進用吸い口伝動装置に関する。
【０００２】
【従来の技術】
例えばドイツ連邦共和国特許第１９５２２９０１号明細書により公知の持ち上げ用吸い口伝動装置の場合、持ち上げ用吸い口の吸着高さが調節可能であって、持ち上げ用吸い口から後置の前進用吸い口への枚葉紙の引き渡し高さが変わらないように、持ち上げ用吸い口の吸着高さが調節可能である。前進用吸い口運動のための駆動装置または伝動装置は図示されていない。しかしながらこの種の前進用吸い口伝動装置は例えばドイツ連邦共和国特許出願公開第１９６０１４７０号明細書に基づき公知である。この前進用吸い口伝動装置は多数の前進用吸い口を有している。これらの前進用吸い口は、カム制御された伝動装置およびガイドによって往復並進搬送運動を行う。
【０００３】
【発明が解決しようとする課題】
本発明の課題は、コンパクトな構造で組み合わされた持ち上げ・前進用吸い口伝動装置を提供することである。
【０００４】
【課題を解決するための手段】
この課題を解決するために本発明の構成では、付加的に旋回可能な制御カムが設けられており、該制御カムが持ち上げ用吸い口の持ち上げ運動(Hubbewegung)と前進用吸い口の前進運動(Schleppbewegung)とを同期化させるようにした。
【０００５】
【発明の効果】
本発明の特に大きな利点は、１つまたは複数の持ち上げ用吸い口のための持ち上げ用吸い口伝動装置と、１つまたは複数の前進用吸い口のための前進用吸い口伝動装置とが共通のガイドを有していることである。こうして持ち上げ用吸い口から前進用吸い口への枚葉紙引き渡しが共通の高さレベルで行われる。
【０００６】
共通のガイドは旋回可能なセグメントカムとして形成されていると有利である。このような手段により、枚葉紙の吸着高さと、持ち上げ用吸い口から前進用吸い口への枚葉紙の引き渡し高さと、枚葉紙の搬送高さとを定置に配置された唯１つの調節手段によって調節することができる。
【０００７】
本発明の有利な構成においては、持ち上げ用吸い口から前進用吸い口への枚葉紙引き渡し、ならびに、引き続き行われる前進用吸い口による枚葉紙の搬送が、枚葉紙後縁部の僅かに上方に向けられた角度αを成して行われる。このような手段によって、ブロー装置によって生ぜしめられた支持空気が、搬送しようとする枚葉紙の下方に極めて良好に達することができる。持ち上げ運動、搬送運動のための種々異なる制御カムの配置と、１つの共通の駆動軸に沿って位置する付加的な検出器カム(Tasterkurve)とが、本発明による伝動装置のコンパクトの構造を最適化する。
【０００８】
持ち上げ用吸い口が持ち上げ運動以外に付加的に並進運動をも行うと有利である。このような手段により、持ち上げ用吸い口から前進用吸い口への枚葉紙引き渡しのための時間窓(Zeitfenster)が増大するので、引き渡し品質が改善される。
【０００９】
【発明の実施の形態】
本発明の実施の形態を図面につき以下に詳しく説明する。
【００１０】
輪転印刷機、例えば枚葉紙７を加工する印刷機１は、給紙装置２と、少なくとも１つの印刷装置３；４と、排紙装置６とを有している。枚葉紙７は枚葉紙パイル８から取り出され、個別化されるかまたは供給テーブル９を介してずれ重ね状に印刷装置３，４に供給される。これらの印刷装置は公知の形式でそれぞれ版胴１１；１２を有している。これらの版胴１１，１２はフレキシブルな版板を固定するためのそれぞれ１つの装置１３，１４を有している。さらに、各版胴１１，１２には半自動式または全自動式の版板交換のための装置１６；１７が対応配置されている。
【００１１】
枚葉紙パイル８は、制御されて持ち上げ可能なパイルプレート１０に載置されている。枚葉紙７の取り出しは枚葉紙パイル８の上面からいわゆるサクションヘッド(Saugkopf)１８によって行われる。このサクションヘッド１８は特に、枚葉紙７の個別化のための多数の持ち上げ用吸い口１９および前進用吸い口２１を有している。さらに、上側の枚葉紙層をほぐすためのブロー装置２２と、パイル追従(Stapelnachfuehrung)のための検出エレメント２３とが設けられている。枚葉紙パイル８、特に枚葉紙パイル８の上側の枚葉紙７を方向付けするために、側方および後方の多数のストッパが設けられている。
【００１２】
サクションヘッド１８は駆動軸２５を有している。この駆動軸はサクションヘッド１８のフレーム壁２４，２６に駆動可能に支承されている。この駆動は、機械によって、または別個に制御された電動モータからも行うことができる。
【００１３】
駆動軸２５は持ち上げ用吸い口１９の運動のための第１の制御カム２７と、前進用吸い口２１の運動のための第２の制御カム２８と、検出エレメント２３の運動のための第３の制御カム２９とを支持している。この検出エレメントはスタック追従を制御する。
【００１４】
やはりサクションヘッド１８のフレーム壁２４，２６で駆動軸２５に対して平行に支承された回転軸３１は、相並んで配置された状態で、持ち上げ用吸い口１９の運動のための旋回可能に支承された第１の揺動体３２と、前進用吸い口２１の運動のための旋回可能に支承された第２の揺動体３３と、検出エレメント２３の運動のための旋回可能に支承された第３の揺動体３４とを支持している。
【００１５】
各揺動体３２，３３，３４は一方のアームで旋回可能に支承された制御ローラ３６；３７；３８を支持している。この制御ローラはそれぞれの制御カム２７；２８；２９と協働する。
【００１６】
揺動体３２は、その第２のアームの端部で持ち上げ用吸い口支持体３９に枢着結合されている。持ち上げ用吸い口支持体は持ち上げ用吸い口１９を支持している。揺動体３３はその第２のアームの端部で前進用吸い口支持体４１に結合されている。この前進用吸い口支持体は旋回可能に前進用吸い口２１を支持している。
【００１７】
持ち上げ用吸い口支持体３９は、回転可能に支持された制御ローラ４２を有しており、前進用吸い口支持体４１は、回転可能に支承された制御ローラ４３を有している。これらの制御ローラ４２，４３は一緒に、旋回可能に配置されたセグメントカム４４と転動接触している。
【００１８】
持ち上げ用吸い口支持体３９と揺動体３２との間の圧縮ばね４６は、制御ローラ３６を制御カム２７に確実に当接させ、制御ローラ４２をセグメントカム４４に確実に当接させる。
【００１９】
前進用吸い口支持体４１と揺動体３３との間の圧縮ばね４７は、制御ローラ３７を制御カム２８に確実に当接させ、制御ローラ４３をセグメントカム４４に確実に当接させる。
【００２０】
セグメントカム４４は、サクションヘッド１８の、フレームに固定された軸４８を中心にして、図示していない調節手段によって旋回可能に支承されている。
【００２１】
図５に示したように、枚葉紙７を吸着して受容するための持ち上げ用吸い口１９が、枚葉紙パイル８に載置されている。前進用吸い口２１はこの時点では前進運動の終端部における転回点に位置している。枚葉紙７が吸着されたあと、この枚葉紙は、枚葉紙パイル８から持ち上げられ、図６に示したように、引き渡しポジションにもたらされる。このような引き渡しポジションは枚葉紙パイル８に対して調節可能な高さを有している。この場合、吸着段階中には枚葉紙パイル８の上側の層に対して平行に方向付けされていた持ち上げ用吸い口１９が、枚葉紙パイル８の上側の層に対して小さな角度α（α＝約１０°〜３５°）だけ旋回させられる。このような手段により、搬送しようとする枚葉紙７の後縁部が僅かに持ち上げられて、支持空気流が、設けられたブロー装置２２によって枚葉紙７の下方に形成され得るようになっている。
【００２２】
図２においては、前進用吸い口２１が枚葉紙７に載置されている引き渡しポジションが図示されている。この前進用吸い口２１は、やはり枚葉紙パイル８の上側の層に対して角度αだけ傾斜させられている。
【００２３】
引き渡しポジションから、今や持ち上げ用吸い口１９と前進用吸い口２１とが共通の搬送運動を実施する。この場合、持ち上げ用吸い口支持体３９の制御ローラ４２と前進用吸い口支持体４１の制御ローラ４３とが、共通のセグメントカム４４に沿って転動する。
【００２４】
この際生じる比較的大きな時間窓は正確な枚葉紙引き渡しのために利用される。このような共通の搬送路の後で前進用吸い口２１は図３に示したように、前方への運動を開始する。枚葉紙７の後縁部が持ち上げ用吸い口１９を完全に通過したあと、この持ち上げ用吸い口は枚葉紙パイル８に載置され、これにより次の枚葉紙７ａに吸着する。
【図面の簡単な説明】
【図１】枚葉紙輪転印刷機の断面を概略的に示す図である。
【図２】本発明による持ち上げ・前進用伝動装置の、持ち上げ用吸い口から前進用吸い口に枚葉紙を引き渡す時点における概略的な断面図である。
【図３】持ち上げ・前進用伝動装置の、持ち上げ用吸い口の搬送路の端部を示す図である。
【図４】持ち上げ・前進用伝動装置の、持ち上げ用吸い口の後退運動および前進用吸い口の前方への運動の時点を示す図である。
【図５】持ち上げ・前進用伝動装置を、持ち上げ用吸い口が吸着点に位置し、前進用吸い口が転回点に位置する状態で示す図である。
【図６】持ち上げ・前進用伝動装置を、持ち上げ用吸い口が引き渡し点に達する直前の状態で示す図である。
【図７】高さ調節を示す概略図である。
【図８】持ち上げ用伝動装置を概略的に示す平面図である。
【符号の説明】
１  印刷機、  ２  給紙装置、  ３，４  印刷装置、  ６  排紙装置、  ７  枚葉紙、  ７ａ  次の枚葉紙、  ８  枚葉紙パイル、  ９  供給テーブル、  １０  パイルプレート、  １１，１２  版胴、  １３，１４  版板を固定するための装置、  １６，１７  版板交換のための装置、  １８  サクションヘッド、  １９  持ち上げ用吸い口、  ２１  前進用吸い口、  ２２  ブロー装置、  ２３検出装置、  ２４  フレーム壁、  ２５  駆動軸、  ２６  フレーム壁、  ２７，２８  制御カム、  ２９  制御カム、  ３１  回転軸、  ３２，３３，３４揺動体、  ３６，３７，３８  制御ローラ、  ３９  持ち上げ用吸い口支持体、  ４１  前進用吸い口支持体、  ４２，４３  制御ローラ、  ４４  セグメントカム、  ４６，４７  圧縮ばね、  ４８  軸、  α  角度
【図１】
0004592909.tif 000002
【図２】
0004592909.tif 000003
【図３】
0004592909.tif 000004
【図４】
0004592909.tif 000005
【図５】
0004592909.tif 000006
【図６】
0004592909.tif 000007
【図７】
0004592909.tif 000008
【図８】
0004592909.tif 000009